(57)【要約】【課題】適切に再生される音声データを記録する。【解決手段】撮像素子２が出力する高レートの画像データがSDRAM４に一時記憶される。記録再生回路５は、撮像素子２による所定の時間分の高レートの画像データの撮像の終了後、SDRAM４に記憶された画像データを、高レートとは異なる通常レートの画像データとして読み出し、マイク８等で得られた音声データとともに、記録媒体７に記録する。本発明は、例えば、ビデオカメラ等に適用することができる。【選択図】図１
2008148085.tif 000002
【特許請求の範囲】
【請求項１】
画像を撮像し、画像データを出力する撮像手段を有する撮像装置の記録を制御する記録制御装置において、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段と
を備える記録制御装置。
【請求項２】
音声データを記録するかどうかを表す音声記録モードを設定する音声記録モード設定手段をさらに備え、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録する
請求項１に記載の記録制御装置。
【請求項３】
前記音声記録モードを報知する報知手段をさらに備える
請求項２に記載の記録制御装置。
【請求項４】
前記報知手段は、前記音声記録モードが前記音声入りモードであることを表す情報を、表示を行う表示手段に表示させることにより、前記音声記録モードが前記音声入りモードであることを報知する
請求項３に記載の記録制御装置。
【請求項５】
前記報知手段は、前記音声記録モードが前記音声入りモードである場合に、音声データの記録中であるか否かによって、前記音声記録モードが前記音声入りモードであることを表す情報の表示の状態を変更する
請求項４に記載の記録制御装置。
【請求項６】
前記撮像手段は、前記第２のレートよりも高速の前記第１のレートの画像データを出力する
請求項１に記載の記録制御装置。
【請求項７】
前記媒体制御手段は、さらに、前記データ記録媒体から、第２のレートの画像データと、音声データとを再生する
請求項１に記載の記録制御装置。
【請求項８】
画像を撮像し、画像データを出力する撮像手段を有する撮像装置の記録を制御する記録制御方法において、
前記撮像手段が出力する第１のレートの画像データを、データを記憶する記憶手段に一時記憶し、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する
ステップを含む記録制御方法。
【請求項９】
画像を撮像し、画像データを出力する撮像手段を有する撮像装置の記録を制御する記録制御処理を、コンピュータに実行させるプログラムにおいて、
前記撮像手段が出力する第１のレートの画像データを、データを記憶する記憶手段に一時記憶し、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する
ステップを含む記録制御処理を、コンピュータに実行させるプログラム。
【請求項１０】
画像を撮像する撮像装置の表示を制御する表示制御装置において、
前記撮像装置は、
画像を撮像し、画像データを出力する撮像手段と、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段と、
音声データを記録するかどうかを表す音声記録モードを設定する音声記録モード設定手段と、
情報を表示する表示手段と
を有し、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録し、
前記音声記録モードが前記音声入りモードである場合、前記音声記録モードが前記音声入りモードであることを表す情報を、前記表示手段に表示させることにより、前記音声記録モードが前記音声入りモードであることを報知する報知手段を備える
表示制御装置。
【請求項１１】
前記報知手段は、前記音声記録モードが前記音声入りモードである場合に、音声データの記録中であるか否かによって、前記音声記録モードが前記音声入りモードであることを表す情報の表示の状態を変更する
請求項１０に記載の表示制御装置。
【請求項１２】
画像を撮像する撮像装置の表示を制御する表示制御方法において、
前記撮像装置は、
画像を撮像し、画像データを出力する撮像手段と、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段と、
音声データを記録するかどうかを表す音声記録モードを設定する音声記録モード設定手段と、
情報を表示する表示手段と
を有し、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録し、
前記音声記録モードが前記音声入りモードである場合、前記音声記録モードが前記音声入りモードであることを表す情報を、前記表示手段に表示させることにより、前記音声記録モードが前記音声入りモードであることを報知するステップを含む
表示制御方法。
【請求項１３】
画像を撮像する撮像装置の表示を制御する表示制御処理を、コンピュータに実行させるプログラムにおいて、
前記撮像装置は、
画像を撮像し、画像データを出力する撮像手段と、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段と、
音声データを記録するかどうかを表す音声記録モードを設定する音声記録モード設定手段と、
情報を表示する表示手段と
を有し、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録し、
前記音声記録モードが前記音声入りモードである場合、前記音声記録モードが前記音声入りモードであることを表す情報を、前記表示手段に表示させることにより、前記音声記録モードが前記音声入りモードであることを報知するステップを含む
表示制御処理をコンピュータに実行させるプログラム。
【発明の詳細な説明】
【技術分野】
【０００１】
本発明は、記録制御装置及び記録制御方法、表示制御装置及び表示制御方法、並びにプログラムに関し、特に、例えば、NTSC(National Television System Committee)方式のレートよりも高速のレートの画像データを記録する場合等に、適切に再生される音声データを記録することができるようにする記録制御装置及び記録制御方法、表示制御装置及び表示制御方法、並びにプログラムに関する。
【背景技術】
【０００２】
画像（動画像）の表示方式としては、例えば、NTSC方式やPAL(Phase Alternation by Line)方式等があり、画像を撮像するカメラ（ビデオカメラ）では、NTSC方式やPAL方式の画像データが記録される。
【０００３】
すなわち、例えば、画像の更新の頻度であるレート（フレームレート、又はフィールドレート）は、NTSC方式では60Hzであり、PAL方式では50Hzであるから、NTSC方式のカメラでは、60Hzで画像が撮像されて記録され、PAL方式のカメラでは、50Hzで画像が撮像されて記録される。
【０００４】
一方、近年、例えば、NTSC方式のレートの４倍のレートである240Hzや、PAL方式のレートの４倍のレートである200Hzの画像等の、いわゆる高速撮像が可能なカメラが提案されている（例えば、特許文献１を参照）。
【０００５】
【特許文献１】特開2005-136868号公報
【発明の開示】
【発明が解決しようとする課題】
【０００６】
高速撮像が可能なカメラ、すなわち、例えば、NTSC方式のレートの４倍のレート等の高レートの画像の撮像が可能なカメラにおいて、その高レートの画像データをそのまま記録し、1/4倍速（高レートの画像データを、実時間で再生する再生速度を１倍速とした場合の1/4倍速）でスロー再生をすると、高速で動いている被写体の状態、すなわち、例えば、ゴルフのスイングをしている人等の状態を明確に確認することができる画像を表示することができる。
【０００７】
ところで、NTSC方式のレートの４倍の高レートの画像データを、音声データとともに記録し、1/4倍速でスロー再生すると、画像については、上述したように、高速で動いている被写体の状態を明確に確認することができる画像が表示されるが、音声については、低音で、いわば間延びした、聞き取りにくい音声が出力される。
【０００８】
本発明は、このような状況に鑑みてなされたものであり、適切に再生される音声データを記録することができるようにするものである。
【課題を解決するための手段】
【０００９】
本発明の第１の側面の記録制御装置は、画像を撮像し、画像データを出力する撮像手段を有する撮像装置の記録を制御する記録制御装置であり、前記撮像手段が出力する第１のレートの画像データを一時記憶する記憶手段と、前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段とを備える。
【００１０】
本発明の第１の側面の記録制御方法、又は、プログラムは、画像を撮像し、画像データを出力する撮像手段を有する撮像装置の記録を制御する記録制御方法、又は、記録制御処理を、コンピュータに実行させるプログラムであり、前記撮像手段が出力する第１のレートの画像データを、データを記憶する記憶手段に一時記憶し、前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録するステップを含む。
【００１１】
以上のような第１の側面においては、前記撮像手段が出力する第１のレートの画像データが、記憶手段に一時記憶され、前記撮像手段による所定の時間分の前記第１のレートの画像データの撮像の終了後、前記記憶手段に記憶された画像データが、前記第１のレートとは異なる第２のレートの画像データとして読み出され、音声データとともに、データ記録媒体に記録される。
【００１２】
本発明の第２の側面の表示制御装置は、画像を撮像する撮像装置の表示を制御する表示制御装置であり、音声記録モードが、音声データを記録する音声入りモードに設定されている場合、第２のレートの画像データと音声データとを、データ記録媒体に記録し、前記音声記録モードが、音声データを記録しない音声切りモードに設定されている場合、前記第２のレートの画像データを、前記データ記録媒体に記録する前記撮像装置の前記音声記録モードが前記音声入りモードであると、前記音声記録モードが前記音声入りモードであることを表す情報を、表示手段に表示させることにより、前記音声記録モードが前記音声入りモードであることを報知する報知手段を備える。
【００１３】
本発明の第２の側面の表示制御方法、又は、プログラムは、画像を撮像する撮像装置の表示を制御する表示制御方法、又は、表示制御処理を、コンピュータに実行させるプログラムであり、音声記録モードが、音声データを記録する音声入りモードに設定されている場合、第２のレートの画像データと音声データとを、データ記録媒体に記録し、前記音声記録モードが、音声データを記録しない音声切りモードに設定されている場合、前記第２のレートの画像データを、前記データ記録媒体に記録する前記撮像装置の前記音声記録モードが前記音声入りモードであると、前記音声記録モードが前記音声入りモードであることを表す情報を、表示手段に表示させることにより、前記音声記録モードが前記音声入りモードであることを報知するステップを含む。
【００１４】
以上のような第２の側面においては、前記撮像装置の前記音声記録モードが前記音声入りモードである場合、前記音声記録モードが前記音声入りモードであることを表す情報を、表示手段に表示させることにより、前記音声記録モードが前記音声入りモードであることが報知される。
【００１５】
なお、プログラムは、伝送媒体を介して伝送し、又は、記録媒体に記録して配布することができる。
【発明の効果】
【００１６】
本発明の第１及び第２の側面によれば、音声データを記録することができ、特に、適切に再生される音声データを記録することができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の第１の側面の記録制御装置は、
画像を撮像し、画像データを出力する撮像手段（例えば、図１の撮像素子２）を有する撮像装置（例えば、図１のカメラ）の記録を制御する記録制御装置において、
前記撮像手段が出力する第１のレートの画像データを一時記憶する記憶手段（例えば、図１のSDRAM４）と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段（例えば、図１の記録再生回路５）と
を備える。
【００１９】
第１の側面の記録制御装置には、音声データを記録するかどうかを表す音声記録モードを設定する音声記録モード設定手段（例えば、図１３のステップＳ５３やＳ５６の処理を実行する図１のマイクロプロセッサ１０）をさらに設けることができ、
前記媒体制御手段には、
前記音声記録モードが、音声データを記録する音声入りモードに設定されている場合、前記第２のレートの画像データと音声データとを、前記データ記録媒体に記録させ、
前記音声記録モードが、音声データを記録しない音声切りモードに設定されている場合、前記第２のレートの画像データを、前記データ記録媒体に記録させることができる。
【００２０】
第１の側面の記録制御装置には、前記音声記録モードを報知する報知手段（例えば、図１１のステップＳ１１や、図１２のステップＳ３７、図１４のステップＳ８２の処理を実行する図１のマイクロプロセッサ１０）をさらに設けることができる。
【００２１】
前記報知手段は、前記音声記録モードが前記音声入りモードであることを表す情報を、表示を行う表示手段（例えば、図１のタッチパネル１４）に表示させることにより、前記音声記録モードが前記音声入りモードであることを報知することができる。
【００２２】
本発明の第１の側面の記録制御方法、又は、プログラムは、
画像を撮像し、画像データを出力する撮像手段（例えば、図１の撮像素子２）を有する撮像装置（例えば、図１のカメラ）の記録を制御する記録制御方法、又は、記録制御処理を、コンピュータに実行させるプログラムであり、
前記撮像手段が出力する第１のレートの画像データを、データを記憶する記憶手段に一時記憶し（例えば、図１４のステップＳ７４）、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する（例えば、図１４のステップＳ８１）
ステップを含む。
【００２３】
本発明の第２の側面の表示制御装置は、
画像を撮像する撮像装置（例えば、図１のカメラ）の表示を制御する表示制御装置であり、
前記撮像装置は、
画像を撮像し、画像データを出力する撮像手段（例えば、図１の撮像素子２）と、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段（例えば、図１の記録再生回路５）と、
音声データを記録するかどうかを表す音声記録モードを設定する音声記録モード設定手段（例えば、図１３のステップＳ５３やＳ５６の処理を実行する図１のマイクロプロセッサ１０）と、
情報を表示する表示手段（例えば、図１のタッチパネル１４）と
を有し、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録し、
前記音声記録モードが前記音声入りモードである場合、前記音声記録モードが前記音声入りモードであることを表す情報を、前記表示手段に表示させることにより、前記音声記録モードが前記音声入りモードであることを報知する報知手段（例えば、図１１のステップＳ１１や、図１２のステップＳ３７、図１４のステップＳ８２の処理を実行する図１のマイクロプロセッサ１０）を備える。
【００２４】
本発明の第２の側面の表示制御方法、又は、プログラムは、
画像を撮像する撮像装置（例えば、図１のカメラ）の表示を制御する表示制御方法、又は、表示制御処理を、コンピュータに実行させるプログラムであり、
前記撮像装置は、
画像を撮像し、画像データを出力する撮像手段（例えば、図１の撮像素子２）と、
前記撮像手段が出力する第１のレートの画像データを一時記憶する記憶手段と、
前記撮像手段による所定の時間分の前記第１のレートの画像データの撮像の終了後、前記記憶手段に記憶された画像データを、前記第１のレートとは異なる第２のレートの画像データとして読み出し、音声データとともに、データ記録媒体に記録する媒体制御手段（例えば、図１の記録再生回路５）と、
音声データを記録するかどうかを表す音声記録モードを設定する音声記録モード設定手段（例えば、図１３のステップＳ５３やＳ５６の処理を実行する図１のマイクロプロセッサ１０）と、
情報を表示する表示手段（例えば、図１のタッチパネル１４）と
を有し、
前記媒体制御手段は、
前記音声記録モードが、音声データを記録する音声入りモードに設定されている場合、前記第２のレートの画像データと音声データとを、前記データ記録媒体に記録し、
前記音声記録モードが、音声データを記録しない音声切りモードに設定されている場合、前記第２のレートの画像データを、前記データ記録媒体に記録し、
前記音声記録モードが前記音声入りモードである場合、前記音声記録モードが前記音声入りモードであることを表す情報を、前記表示手段に表示させることにより、前記音声記録モードが前記音声入りモードであることを報知するステップ（例えば、図１１のステップＳ１１や、図１２のステップＳ３７、図１４のステップＳ８２）を含む。
【００２５】
以下、図面を参照して、本発明の実施の形態について説明する。
【００２６】
図１は、本発明を適用したカメラの一実施の形態の構成例を示している。
【００２７】
レンズ部１は、図示せぬレンズや絞り等を有し、外部からの光を、撮像素子２の受光面上に集光する。また、レンズ部１は、マイクロプロセッサ１０の制御にしたがって絞り値を調整し、撮像素子２が受光する光の光量を調整する。これにより、撮像素子２が撮像する画像の明るさが調整される。
【００２８】
撮像素子２は、例えば、CCD(Charged Coupled Device)や、CMOS(Complementary Metal Oxide Semiconductor)センサ等で構成され、カメラ信号処理回路３からの制御にしたがったレートで、画像（動画像）を撮像し、そのレートの画像データを出力する。
【００２９】
すなわち、撮像素子２は、レンズ部１からの光を受光し、その光を、その光量に対応した電気信号に光電変換して、その光電変換によって得られる電気信号としての画像データ（画像信号）を出力する。
【００３０】
カメラ信号処理回路３は、マイクロプロセッサ１０からの制御にしたがい、例えば、NTSC方式のレート(60Hz)、又は、NTSC方式のレートよりも高速の、例えば、240Hzなどの高レートで、撮像を行うように、撮像素子２を制御する。
【００３１】
また、カメラ信号処理回路３は、撮像素子２を制御することにより、撮像素子２が出力する、NTSC方式のレート（以下、適宜、通常レートという）の画像データ、又は、NTSC方式のレートよりも高速の高レートの画像データに対して、相関二重サンプリングや、A/D(Analog/Digital)変換、補間等の必要な処理を施し、SDRAM(Synchronous DRAM(Dynamic Random Access Memory))４に供給する。
【００３２】
SDRAM４は、カメラ信号処理回路３から供給される画像データを一時記憶する。なお、SDRAM４は、例えば、３秒分等の所定の時間分の高レートの画像データを記憶することができる記憶容量を、少なくとも有している。
【００３３】
記録再生回路５は、マイクロプロセッサ１０からの制御にしたがい、SDRAM４に記憶された画像データを、通常レートの画像データとして読み出し、その画像データ、又は、その画像データと、マイク（マイクロフォン）８から供給される音声データとを、記録媒体（データ記録媒体）７に記録する。
【００３４】
また、記録再生回路５は、マイクロプロセッサ１０からの制御にしたがい、記録媒体７から、通常レートの画像データを再生し、重畳回路１２に供給する。なお、記録再生回路５は、記録媒体７に、通常レートの画像データとともに（通常レートの画像データに付随して）、音声データが記録されている場合には、通常レートの画像データとともに、その画像データに付随する音声データも再生し、図示せぬスピーカに供給して出力させる。
【００３５】
SDRAM６は、記録再生回路５が処理を行う上で必要なデータを一時記憶する。
【００３６】
記録媒体７は、例えば、磁気テープ等のテープ、DVD(Digital Versatile Disc)やHD(Hard Disk)等のディスク、不揮発性のメモリ等の半導体メモリ等で構成される。記録媒体７には、記録再生回路５によって、画像データや音声データ等が記録される。なお、記録媒体７は、図１のカメラに対して着脱可能なようにすることもできるし、図１のカメラに内蔵させることもできる。
【００３７】
マイク８は、空気の振動を電気信号としての音声データに変換し、記録再生回路５に供給する。
【００３８】
キー入力回路９は、録画を開始、又は停止するときに操作される録画ボタン９Ａ等のメカニカルなボタンに接続されており、その録画ボタン９Ａ等の操作に対応した操作信号を、マイクロプロセッサ１０に供給する。
【００３９】
マイクロプロセッサ１０は、不揮発性メモリ２０に記憶されたプログラムを実行することにより、図１のカメラでの画像データや音声データの記録、表示、その他を制御する。
【００４０】
例えば、マイクロプロセッサ１０は、キー入力回路９やタッチパネル１４から供給される操作信号としての電圧をA/D変換し、そのA/D変換によって得られるディジタルデータから、ユーザが操作したボタンを判定する。さらに、マイクロプロセッサ１０は、ユーザが操作したボタンの判定の結果や、記録再生回路５における記録又は再生の状態に基づき、各種の制御を行う。
【００４１】
具体的には、例えば、マイクロプロセッサ１０は、レンズ部１、カメラ信号処理回路３、及び記録再生回路５を制御することにより、撮像素子２で得られた画像データ、さらには、必要に応じて、マイク８で得られた音声データを、記録媒体７に記録させ、また、記録再生回路５を制御することにより、記録媒体７から、画像データ、さらには、必要な音声データを再生させる。
【００４２】
また、例えば、マイクロプロセッサ１０は、OSD(On Screen Display)表示を行うCG(Computer Graphics)等のビットマップデータや、各種のコマンドを、OSD回路１１に供給する。
【００４３】
その他、マイクロプロセッサ１０は、電源制御スイッチ１９の制御や、不揮発性メモリ２０に対するデータの読み書き等を行う。
【００４４】
OSD回路１１は、図示せぬVRAM(Video RAM(Random Access Memory))を内蔵し、マイクロプロセッサ１０からのビットマップデータを、VRAMに展開する（記憶させる）。また、OSD回路１１は、マイクロプロセッサ１０からのコマンドを解釈し、そのコマンドによってOSD表示が要求されるCG等のビットマップデータを、VRAMに展開する。そして、OSD回路１１は、VRAMに展開したビットマップデータとしての画像データを、所定の走査単位で、重畳回路１２に供給する。
【００４５】
重畳回路１２は、SDRAM４、又は記録再生回路５から供給される画像データに、OSD回路１１から供給される画像データを、必要に応じて重畳し、ラインアウト端子１３、タッチパネル１４、及びビューファインダパネル１５に供給する。
【００４６】
ラインアウト端子１３は、重畳回路１２からの画像データを外部に出力する。ラインアウト端子１３には、例えば、テレビジョン受像機等の、図示せぬ外部の装置が接続される。
【００４７】
タッチパネル１４は、例えば、LCD(Liquid Crystal Display)パネルとタッチセンサとが一体にされたパネルで、LCDパネルにおいて、重畳回路１２からの画像データに対応した画像を表示し、また、タッチセンサにおいて、ユーザがタッチしたLCDパネルの位置を検出し、その位置に対応する操作信号を、マイクロプロセッサ１０に供給する。
【００４８】
ビューファインダパネル１５は、図示せぬビューファインダに設けられた、例えば、LCDパネルであり、重畳回路１２からの画像データに対応した画像を表示する。
【００４９】
バッテリ１６は、電源回路１８を介して、図１のカメラを構成する各ブロックに電源を供給する。なお、バッテリ１６は、AC(Alternating Current)ケーブル１７を、AC用のコンセントに接続することにより、電源回路１８を介して充電することができる。
【００５０】
ACケーブル１７は、電源回路１８と、AC用のコンセントとを接続するときに用いられるケーブルであり、図１のカメラに対して着脱可能となっている。
【００５１】
電源回路１８は、ACケーブル１７がAC用のコンセントに接続されている場合には、そのコンセントからの電圧、電流から、必要な電源を生成し、図１のカメラを構成する必要なブロックに供給するとともに、必要に応じて、バッテリ１６の充電を行う。
【００５２】
また、電源回路１８は、ACケーブル１７がAC用のコンセントに接続されていない場合には、バッテリ１６の電圧、電流を、電源として、図１のカメラを構成する必要なブロックに供給する。
【００５３】
電源制御スイッチ１９は、マイクロプロセッサ１０の制御に応じてオン、又はオフすることにより、図１のカメラを構成するブロックのうちの、マイクロプロセッサ１０を除くブロックへの電源の供給をオン、又はオフする。なお、マイクロプロセッサ１０に対しては、電源回路１８から、常時電源が供給されるようになっている。
【００５４】
以上のように構成されるカメラでは、撮像素子２において、レンズ部１からの光が受光され、その光の光量に対応した電気信号としての画像データ（以下、適宜、撮像画像データともいう）が、カメラ信号処理回路３を介して、SDRAM４に供給されて一時記憶される。
【００５５】
SDRAM４に記憶された画像データは、そこから読み出され、記録再生回路５、及び重畳回路１２に供給される。重畳回路１２は、撮像素子２から、カメラ信号処理回路３とSDRAM４を介して供給される撮像画像データに、OSD回路１１から供給される画像データ（以下、適宜、OSD画像データともいう）を、必要応じて重畳し、その結果得られる画像データを、タッチパネル１４とビューファインダパネル１５に供給する。これにより、タッチパネル１４とビューファインダパネル１５では、いわゆるスルー画像が表示される。
【００５６】
そして、ユーザが録画ボタン９Ａを操作し、その操作に対応する操作信号が、キー入力回路９からマイクロプロセッサ１０に供給されると、マイクロプロセッサ１０は、記録再生回路５を制御し、記録媒体７への記録を開始させる。
【００５７】
すなわち、この場合、記録再生回路５は、SDRAM４から供給される撮像画像データを、マイク８から供給される音声データとともに、記録媒体７に記録する。
【００５８】
その後、ユーザが録画ボタン９Ａを再度操作し、その操作に対応する操作信号が、キー入力回路９からマイクロプロセッサ１０に供給されると、マイクロプロセッサ１０は、記録再生回路５を制御し、記録媒体７への記録を停止させる。
【００５９】
以上のように、図１のカメラでは、画像の撮像と記録（録画）とが行われるが、画像の撮像のモードである撮像モードとしては、例えば、撮像素子２が、NTSC方式のレート(60Hz)である通常レートの画像データを出力する通常撮像モードと、通常レートよりも高速の240Hzなどの高レートの画像データを出力する高速撮像モードとがある。
【００６０】
通常撮像モードでは、撮像素子２において、通常レートでの撮像が行われ、通常レートの撮像画像データが、カメラ信号処理回路３を介して、SDRAM４に供給されて一時記憶される。
【００６１】
さらに、通常撮像モードでは、SDRAM４に記憶された撮像画像データが、そのまま、通常レートの画像データとして読み出され、記録再生回路５に供給される。記録再生回路５は、SDRAM４からの通常レートの撮像画像データを、マイク８から供給される音声データとともに、記録媒体７に記録する。
【００６２】
一方、高速撮像モードでは、撮像素子２において、高レートでの撮像が行われ、高レートの撮像画像データが、カメラ信号処理回路３を介して、SDRAM４に供給されて一時記憶される。
【００６３】
さらに、高速撮像モードでは、例えば、あらかじめ設定された所定の時間分の高レートの撮像画像データの撮像が終了し、これにより、その所定時間分の高レートの撮像画像データが、SDRAM４に記憶されると、SDRAM４に記憶された高レートの撮像画像データが、通常レートの画像データとして読み出され、記録再生回路５に供給される。記録再生回路５は、SDRAM４から通常レートの画像データとして読み出された高レートの撮像画像データを、マイク８から供給される音声データとともに、記録媒体７に記録する。
【００６４】
次に、図２を参照して、図１のカメラの、高速撮像モード時の動作について、さらに説明する。
【００６５】
なお、図２において、横軸は、時間を示す。
【００６６】
図２上から１番目は、高速撮像モードで撮像される高レートの撮像画像データを示している。
【００６７】
例えば、時刻t1において、ユーザが録画ボタン９Ａ（図１）を操作すると、撮像素子２は、NTSC方式のレート(60Hz)である通常レートの４倍の240Hzでの撮像を開始し、これにより、高レートとしての240Hzの撮像画像データを出力する。この高レートとしての240Hzの撮像画像データは、カメラ信号処理回路３を介して、SDRAM４に供給されて記憶される。
【００６８】
撮像素子２において、所定の時間分としての時間TB（例えば、３秒など）分の高レートの撮像が終了し、これにより、時間TB分の高レートの撮像画像データが、SDRAM４に記憶されると、記録再生回路５は、SDRAM４に記憶された高レートの撮像画像データを、通常レートの画像データとして読み出し、マイク８から供給される音声データとともに、記録媒体７に記録する。
【００６９】
すなわち、図２上から２番目は、高速撮像モードでのSDRAM４からの撮像画像データの読み出しのタイミングと、その撮像画像データの記録媒体７への記録のタイミングとを示しており、図２上から３番目（下から１番目）は、高速撮像モードでの、マイク８により取り込まれた音声データの記録媒体７への記録のタイミングを示している。
【００７０】
いま、録画ボタン９Ａが操作された時刻t1から、所定の時間TBだけ経過した時刻が、時刻t2であるとすると、撮像素子２による高速撮像は、時刻t2で終了し、これにより、SDRAM４には、時間TB分の高レートの撮像画像データが記憶される。
【００７１】
記録再生回路５は、図２上から２番目に示すように、撮像素子２による高速撮像が終了した時刻t2から、SDRAM４からの撮像画像データの読み出しと、その撮像画像データの記録媒体７への記録を開始する。
【００７２】
ここで、SDRAM４に記憶された高レートの撮像画像データは、通常レートの画像データとして読み出される。したがって、例えば、上述したように、高レートが、通常レートの４倍のレートである場合には、SDRAM４に記憶された時間TB分の高レートの撮像画像データは、時間TBの４倍の時間TR=4×TB分の通常レートの画像データとして読み出される。
【００７３】
そして、SDRAM４から読み出された時間TR分の通常レートの画像データは、記録再生回路５を介して、記録媒体７に記録される。
【００７４】
なお、高レートと、通常レートとの比（［高レート］／［通常レート］）を、レート比ということとすると、SDRAM４に、時間TB分の高レートの撮像画像データが記憶された場合、SDRAM４から読み出されるのは、時間TBのレート比倍の時間TR分の通常レートの撮像画像データとなる。
【００７５】
撮像素子２による高速撮像が終了すると、上述したように、SDRAM４に記憶された撮像画像データの読み出しと、その撮像画像データの記録媒体７への記録とが行われるのと並行して、マイク８により取り込まれた音声データの記録媒体７への記録が開始される。
【００７６】
すなわち、記録再生回路５は、図２上から３番目に示すように、撮像素子２による高速撮像が終了した時刻t2から、マイク８により取り込まれた音声データの記録媒体７への記録を開始する。
【００７７】
これにより、時刻t1からの高速撮像によって得られた時間TB分の高レートの撮像画像データを、時間TBの４倍の時間TR分の通常レートの画像データとして記録媒体７に記録することと、高速撮像が終了した時刻t2から、マイク８により取り込まれた時間TB分の音声データを記録媒体７に記録することとが行われる。
【００７８】
そして、記録再生回路５は、時間TR分の通常レートの画像データの記録媒体７への記録が終了すると、マイク８により取り込まれた音声データの記録媒体７への記録も終了する。
【００７９】
すなわち、例えば、高速撮像が終了した時刻t2から、時間TRだけ経過した時刻を、時刻t3とすると、時刻t1からの高速撮像によって得られた時間TB分の高レートの撮像画像データの、時間TBの４倍の時間TR分の通常レートの画像データとしての記録媒体７への記録と、時刻t2から、マイク８により取り込まれた時間TB分の音声データの記録媒体７への記録とは、時刻t3に終了する。
【００８０】
以上のように、SDRAM４において、撮像素子２が出力する第１のレートとしての高レートの撮像画像データを一時記憶し、撮像素子２による所定の時間TB分の高レートの撮像画像データの撮像の終了後、SDRAM４に記憶された撮像画像データを、高レートとは異なる第２のレートとしての通常レートの画像データとして読み出し、マイク８で得られた音声データとともに、記録媒体７に記録することにより、いわば擬似的なスロー再生が行われる画像データとともに、その擬似的なスロー再生において適切に再生される音声データを記録することができる。
【００８１】
すなわち、所定の時間TB分の高レートの撮像画像データを、SDRAM４に一時記憶し、時間TBのレート比倍分の通常レートの撮像画像データとして読み出して、記録媒体７に記録した場合には、その記録媒体７から撮像画像データを１倍速（通常レートの画像データを、実時間で再生する再生速度）で再生すると、所定の時間TB分の高レートの撮像画像データをそのまま記録媒体７に記録し、1/4倍速（高レートの画像データを、実時間で再生する再生速度を１倍速とした場合の1/4倍速）でスロー再生した場合と同様に、例えば、ゴルフのスイングをしている人の状態等の、高速で動いている被写体の状態を明確に確認することができる画像が表示される、擬似的なスロー再生が行われる。
【００８２】
さらに、記録媒体７からのデータの再生速度は１倍速であるため、記録媒体７に記録された音声データは、記録媒体７に記録したときと同一の再生速度で再生されるので、1/4倍速での再生を行ったときのような、低音で、間延びした、聞き取りにくい音声となることを防止することができる。
【００８３】
ここで、所定の時間TB分の高レートの撮像画像データを、SDRAM４に一時記憶し、時間TBのレート比倍分の通常レートの撮像画像データとして読み出して、記録媒体７に記録した場合において、記録媒体７から撮像画像データを１倍速で再生したときに行われる、上述したような擬似的なスロー再生を、以下、適宜、なめらかスロー再生という。
【００８４】
また、なめらかスロー再生を行うことができるように、所定の時間TB分の高レートの撮像画像データを、SDRAM４に一時記憶し、時間TBのレート比倍分の通常レートの撮像画像データとして読み出して、記録媒体７に記録することを、以下、適宜、なめらかスロー録画という。
【００８５】
次に、図２のなめらかスロー録画では、ユーザによる録画ボタン９Ａの操作がされた時刻t1から、時間TBだけ経過した時刻t2までの時間tB分の高レートの撮像画像データを、SDRAM４に記憶し、そのSDRAM４に記憶された撮像画像データを、記録媒体７に記録するようにしたが、その他、例えば、ユーザによる録画ボタン９Ａの操作がされた時刻から、時間TBだけ遡った時刻までの時間tB分の高レートの撮像画像データを、SDRAM４に記憶し、そのSDRAM４に記憶された撮像画像データを、記録媒体７に記録することができる。
【００８６】
すなわち、図３は、図１のカメラの、高速撮像モード時の他の動作について説明する図である。
【００８７】
なお、図３において、横軸は、時間を示す。
【００８８】
図３上から１番目は、高速撮像モードで撮像される高レートの撮像画像データを示している。
【００８９】
撮像モードが高速撮像モードとされると、撮像素子２（図１）は高速撮像を開始し、その高速撮像によって得られる高レートの撮像画像データは、撮像素子２から、カメラ信号処理回路３を介して、SDRAM４に供給される。
【００９０】
SDRAM４は、撮像素子２から、カメラ信号処理回路３を介して供給される高レートの撮像画像データを順次記憶し、所定の時間TB分の高レートの撮像画像データを記憶した後は、新たな高レートの撮像画像データが供給されると、その新たな高レートの撮像画像データを、最も古い高レートの撮像画像データに上書きする形で記憶する。
【００９１】
その後、時刻t2'において、ユーザが録画ボタン９Ａ（図１）を操作すると、撮像素子２は、高速操作を中断し、記録再生回路５は、時刻t2'から時間TBだけ遡った時刻t1'から時刻t2'までの時間TB分の高レートの撮像画像データを、時間TR分の通常レートの画像データとして、SDRAM４から読み出し、マイク８から供給される音声データとともに、記録媒体７に記録する。
【００９２】
すなわち、図３上から２番目は、高速撮像モードでのSDRAM４からの撮像画像データの読み出しのタイミングと、その撮像画像データの記録媒体７への記録のタイミングとを示しており、図３上から３番目（下から１番目）は、高速撮像モードでの、マイク８により取り込まれた音声データの記録媒体７への記録のタイミングを示している。
【００９３】
記録再生回路５は、図３上から２番目に示すように、録画ボタン９Ａが操作された時刻t2'から、SDRAM４からの撮像画像データの読み出しと、その撮像画像データの記録媒体７への記録を開始する。
【００９４】
ここで、SDRAM４に記憶された高レートの撮像画像データは、通常レートの画像データとして読み出される。
【００９５】
録画ボタン９Ａが操作されると、上述したように、SDRAM４に記憶された撮像画像データの読み出しと、その撮像画像データの記録媒体７への記録とが行われるのと並行して、マイク８により取り込まれた音声データの記録媒体７への記録が開始される。
【００９６】
すなわち、記録再生回路５は、図３上から３番目に示すように、録画ボタン９Ａが操作された時刻t2'から、マイク８により取り込まれた音声データの記録媒体７への記録を開始する。
【００９７】
これにより、時刻t2'からは、時刻t2'までの高速撮像によって得られた時間TB分の高レートの撮像画像データを、時間TBの４倍の時間TR分の通常レートの画像データとして記録媒体７に記録することと、マイク８により取り込まれた音声データを記録媒体７に記録することとが行われる。
【００９８】
そして、記録再生回路５は、時間TR分の通常レートの画像データの記録媒体７への記録が終了すると、マイク８により取り込まれた音声データの記録媒体７への記録も終了する。
【００９９】
したがって、例えば、録画ボタン９Ａが操作された時刻t2'から、時間TRだけ経過した時刻を、時刻t3'とすると、時刻t2'までの高速撮像によって得られた時間TB分の高レートの撮像画像データの、時間TBの４倍の時間TR分の通常レートの画像データとしての記録媒体７への記録と、時刻t2'から、マイク８により取り込まれた時間TR分の音声データの記録媒体７への記録とは、時刻t3'に終了する。
【０１００】
ここで、高速撮像モードにおいて、録画ボタン９Ａの操作のタイミングを、時間TB分の高レートの撮像画像データの先頭のタイミングとするか、又は終わりのタイミングとするかを表すモードであるタイミングモードを設定することができる。
【０１０１】
図２に示したように、録画ボタン９Ａの操作のタイミングを、時間TB分の高レートの撮像画像データの先頭のタイミングとするタイミングモードを、「ここから」モードという。また、図３に示したように、録画ボタン９Ａの操作のタイミングを、時間TB分の高レートの撮像画像データの終わりのタイミングとするタイミングモードを、「ここまで」モードという。
【０１０２】
次に、図４は、タッチパネル１４（図１）に表示されるメニュー画面を示している。
【０１０３】
図４のメニュー画面は、例えば、キー入力回路９に接続された所定のボタン、又は、タッチパネル１４に表示された所定のボタンが操作された場合に、タッチパネル１４に表示される。
【０１０４】
すなわち、マイクロプロセッサ１０（図１）は、キー入力回路９に接続された所定のボタン、又は、タッチパネル１４に表示された所定のボタンが操作されたこと等をトリガとして、OSD回路１１を制御することにより、OSD回路１１に、メニュー画面等に対応するOSD画像データを生成させる。OSD画像データは、OSD回路１１から重畳回路１２を介して、タッチパネル１４に供給され、これにより、タッチパネル１４において、メニュー画面等が表示される。
【０１０５】
図４のメニュー画面には、各種の設定（の変更）を行う場合に操作されるGUIとしての様々なボタン等が設けられており、その様々なボタンの中には、閉じるボタンB1と、「なめらかスロー録画」ボタンB2とがある。
【０１０６】
閉じるボタンB1は、図４のメニュー画面を閉じる（タッチパネル１４から消去する）場合に操作され、「なめらかスロー録画」ボタンB2は、撮像モードを高速撮像モードに設定する場合、つまり、なめらかスロー録画を行う場合に操作される。
【０１０７】
図５は、図４の「なめらかスロー録画」ボタンB2が操作された場合にタッチパネル１４に表示されるなめらかスロー録画機能画面を示している。
【０１０８】
なめらかスロー録画機能画面では、その左上に、撮像モードが、なめらかスロー録画を行う高速撮像モードであることを表すメッセージMS11として、「なめらかスロー録画」が表示される。さらに、図５のなめらかスロー録画機能画面では、その上の中央部分に、図１のカメラが、なめらかスロー録画を行うことを待機している状態であることを表すメッセージMS12として、「スタンバイ」が表示されている。
【０１０９】
また、図５のなめらかスロー録画機能画面では、その左上に、アイコンI11が表示されており、そのアイコンI11の下部に、「終了」ボタンB11と「設定」ボタンB12とが表示されている。
【０１１０】
アイコンI11は、高レートの撮像画像データをSDRAM４に記憶する時間TBをイメージさせる横長のバー状のGUIと、ゴルフのスイングをしている人をイメージさせる人型のGUIとから構成され、タイミングモードを表す。
【０１１１】
すなわち、タイミングモードが「ここから」モードに設定されている場合、図５に示すように、アイコンI11においては、人型のGUIが、バー状のGUIの左端に表示される。一方、タイミングモードが「ここまで」モードに設定されている場合、アイコンI11においては、人型のGUIが、バー状のGUIの右端に表示される。
【０１１２】
したがって、ユーザは、アイコンI11によって、タイミングモードが、「ここから」モード、又は「ここまで」モードのうちのいずれに設定されているのかを認識することができる。
【０１１３】
「終了」ボタンB11は、なめらかスロー録画を行う高速撮像モードを終了する場合、すなわち、撮像モードを、通常モードに設定（変更）する場合に操作される。
【０１１４】
「設定」ボタンB12は、なめらかスロー録画について、各種の設定を行う場合に操作される。
【０１１５】
図６は、図５の「設定」ボタンB12が操作された場合にタッチパネル１４に表示される設定項目選択画面を示している。
【０１１６】
設定項目選択画面では、「タイミング」ボタンB21、「音声記録」ボタンB22、及び戻るボタンB23が表示される。
【０１１７】
「タイミング」ボタンB21は、タイミングモードを設定（変更）する場合に操作され、「音声記録」ボタンB22は、なめらかスロー録画において、撮像画像データとともに、音声データを記録するかどうかを表す音声記録モードを設定（変更）する場合に操作される。
【０１１８】
戻るボタンB23は、図６の設定項目選択画面を閉じて、図５のなめらかスロー録画機能画面に戻る場合に操作される。
【０１１９】
図７は、図５の「音声記録」ボタンB22が操作された場合にタッチパネル１４に表示される音声記録設定画面を示している。
【０１２０】
音声記録設定画面では、「切」ボタンB31、「入」ボタンB32、戻るボタンB33、及び設定マークM31が表示される。
【０１２１】
「切」ボタンB31は、なめらかスロー録画において、音声記録モードを、音声データを記録しない音声切りモードに設定する場合に操作され、「入」ボタンB32は、音声記録モードを、撮像画像データとともに、音声データを記録する音声入りモードに設定する場合に操作される。
【０１２２】
戻るボタンB33は、図７の音声記録設定画面を閉じて、図６の設定項目選択画面に戻る場合に操作される。
【０１２３】
設定マークM31は、音声記録モードが、音声切りモード、又は音声入りモードのうちのいずれに設定されているかを表す。
【０１２４】
すなわち、音声記録モードが、音声切りモードに設定されている場合、図７に示すように、設定マークM31は、「切」ボタンB31の左側に表示される。また、音声記録モードが、音声入りモードに設定されている場合、設定マークM31は、「入」ボタンB32の左側に表示される。
【０１２５】
図８は、図７において、「入」ボタンB32が操作された場合の音声記録設定画面を示している。
【０１２６】
音声記録モードが音声切りモードに設定されている場合には、図７に示したように、設定マークM31が、「切」ボタンB31の左側に表示された音声記録設定画面が表示されるが、図７の音声記録設定画面において、「入」ボタンB32が操作されると、音声記録設定画面では、図８に示すように、設定マークM31が、「切」ボタンB31の左側に代えて、「入」ボタンB32の左側に表示されるとともに、戻るボタンB33が、「OK」ボタンB34に変更される。
【０１２７】
「OK」ボタンB34は、例えば、図８の音声記録設定画面を閉じて、図５、又は後述する図９のなめらかスロー録画機能画面に戻る場合に操作される。
【０１２８】
さらに、音声記録設定画面では、「入」ボタンB32が操作されたことに対応して、音声記録モードが音声入りモードに設定されたことを表す情報としてのアイコンI31、及びメッセージMS31が表示される。
【０１２９】
すなわち、音声記録設定画面では、その右上に、マイクの形状のGUIと音符の形状のGUIとからなるアイコンI31が表示されるとともに、そのほぼ中央に、メッセージMS31として、「スロー動画を保存中に音声を録音できます」が表示される。
【０１３０】
以上のようなアイコンI31、及びメッセージMS31によれば、ユーザは、なめらかスロー録画において、画像とともに、音声が記録されることを認識することができる。
【０１３１】
なお、マイクロプロセッサ１０（図１）は、タイミングモードや音声記録モードが設定（変更）された場合、その設定がされたタイミングモードや音声記録モードを表すモード情報を、不揮発性メモリ２０に記憶させる。
【０１３２】
これにより、図１のカメラの電源がオフにされても、次回の電源のオン時に、電源がオフされるときに設定されていたタイミングモードと音声記録モードが維持される。
【０１３３】
次に、図９は、音声記録モードが音声入りモードに設定されている場合のなめらかスロー録画機能画面を示している。
【０１３４】
ここで、上述した図５のなめらかスロー録画機能画面は、音声記録モードが音声切りモードに設定されている場合のなめらかスロー録画機能画面であり、音声記録モードが音声入りモードに設定されている図９のなめらかスロー録画機能画面は、アイコンI13が表示されている点でのみ、音声記録モードが音声切りモードに設定されている図５のなめらかスロー録画機能画面と異なっている。
【０１３５】
アイコンI13は、図８のアイコンI31と同一のアイコン、すなわち、マイクの形状のGUIと音符の形状のGUIとからなるアイコンであり、音声記録モードが音声入りモードであることを表す。
【０１３６】
そして、アイコンI13は、音声記録モードが音声入りモードに設定されている場合には、図９に示したように、なめからスロー録画機能画面に表示され、音声記録モードが音声切りモードに設定されている場合には、図５に示したように、なめからスロー録画機能画面に表示されない。
【０１３７】
したがって、ユーザは、なめらかスロー録画機能画面における、アイコンI13の表示の有無によって、音声記録モード、つまり、なめらかスロー録画において、画像の記録（録画）とともに、音声の記録（録音）が行われ、又は行われないことを認識することができる。
【０１３８】
以上のように、音声記録モードが音声入りモードに設定されている場合には、なめからスロー録画機能画面において、アイコンI13が表示されるが、このアイコンI13は、音声の記録中でないときには、例えば、点滅状態で表示される。
【０１３９】
そして、なめらかスロー録画機能画面において、アイコンI13が表示されている状態で、録画ボタン９Ａが操作されると、図２や図３で説明したように、マイク８により取り込まれた音声データが記録媒体７に記録される。
【０１４０】
図１０は、音声データの記録が行われているときの、なめらかスロー録画機能画面を示している。
【０１４１】
音声データの記録中においては、なめらかスロー録画機能画面では、アイコンI13の表示の状態が、点滅状態から点灯状態に変更される。
【０１４２】
さらに、音声データの記録中においては、なめらかスロー録画機能画面において、その上部のほぼ中央に、画像データ及び音声データを記録媒体７に記録していることを表すメッセージMS51として、「テープに録画中」が表示されるとともに、下部に、記録バーI14が表示される。
【０１４３】
記録バーI14は、画像データ及び音声データの記録媒体７への記録の進行の程度を表すバー形状のGUIであり、例えば、その進行の程度に応じて、左から右方向に、表示の状態が変更される。
【０１４４】
なめらかスロー録画が終了すると、なめらかスロー録画機能画面は、図１０に示した状態から、図９に示した状態に戻る。
【０１４５】
したがって、なめらかスロー録画機能画面では、音声データの記録中であるか否かによって、アイコンI13の表示の状態が、点滅状態、又は点灯状態に変更されるので、ユーザは、アイコンI13の表示の状態によって、音声の記録が行われているのかどうかを認識することができる。
【０１４６】
次に、図１１ないし図１４のフローチャートを参照して、図１のカメラの処理について、さらに説明する。
【０１４７】
タッチパネル１４（図１）に、図４のメニュー画面が表示されている場合において、「なめらかスロー録画」ボタンB2が操作されると、図１のカメラにおいて、マイクロプロセッサ１０は、撮像モードを、高速撮像モードに設定し、高速撮像モードの処理を行う。
【０１４８】
図１１は、高速撮像モードの処理を説明するフローチャートである。
【０１４９】
撮像モードが高速撮像モードとなると、マイクロプロセッサ１０は、不揮発性メモリ２０からモード情報を読み出し、そのモード情報に基づき、現在の音声記録モードとタイミングモードを認識する。そして、ステップＳ１１において、マイクロプロセッサ１０は、現在の音声記録モードとタイミングモードとに対応したなめらかスロー録画機能画面を表示するように、OSD回路１１を制御する。
【０１５０】
OSD回路１１は、マイクロプロセッサ１０の制御にしたがい、現在の音声記録モードとタイミングモードとに対応したなめらかスロー録画機能画面のOSD画像データを生成し、重畳回路１２を介して、タッチパネル１４に供給し、これにより、タッチパネル１４では、現在の音声記録モードとタイミングモードとに対応したなめらかスロー録画機能画面が表示される。
【０１５１】
すなわち、例えば、音声記録モードが、音声切りモードであり、タイミングモードが、「ここから」モードである場合には、図５に示したように、音声入りモードを表すアイコンI13（図９及び図１０）がなく、「ここから」モードを表すアイコンI11が存在するなめらかスロー録画機能画面が表示される。
【０１５２】
また、例えば、音声記録モードが、音声入りモードであり、タイミングモードが、「ここから」モードである場合には、図９に示したように、音声入りモードを表すアイコンI13と、「ここから」モードを表すアイコンI11が存在するなめらかスロー録画機能画面が表示される。
【０１５３】
その後、処理は、ステップＳ１１からステップＳ１２に進み、マイクロプロセッサ１０は、タイミングモードが、「ここまで」モードであるかどうかを判定する。ステップＳ１２において、タイミングモードが、「ここまで」モードでないと判定された場合、すなわち、タイミングモードが、「ここから」モードである場合、処理は、ステップＳ１３をスキップして、ステップＳ１４に進む。
【０１５４】
また、ステップＳ１２において、タイミングモードが、「ここまで」モードであると判定された場合、処理は、ステップＳ１３に進み、マイクロプロセッサ１０は、高速撮像繰り返し処理を行うように、カメラ信号処理回路３を制御する。
【０１５５】
カメラ信号処理回路３は、マイクロプロセッサ１０の制御にしたがい、高速撮像繰り返し処理を開始する。
【０１５６】
すなわち、カメラ信号処理回路３は、高レートで、撮像を行うように、撮像素子２を制御する。これにより、撮像素子２は、高レートで、撮像を行い、高レートの撮像画像データを出力する。
【０１５７】
さらに、カメラ信号処理回路３は、撮像素子２が出力する高レートの撮像画像データに対して、必要な処理を施して、SDRAM４に供給し、最新の、所定の時間TB分の高レートの撮像画像データが常時記憶されるように、SDRAM４の記憶内容の更新を繰り返す。
【０１５８】
なお、高速撮像繰り返し処理は、タイミングモードが、「ここまで」モードになっている間だけ行われ、タイミングモードが、「ここから」モードになった場合には、終了する。
【０１５９】
ステップＳ１３の後、処理は、ステップＳ１４に進み、マイクロプロセッサ１０は、なめらかスロー録画機能画面（図５、図９）の「終了」ボタンB11が操作されたか否かを判定する。
【０１６０】
ステップＳ１４において、「終了」ボタンB11が操作されていないと判定された場合、処理は、ステップＳ１５に進み、マイクロプロセッサ１０は、なめらかスロー録画機能画面（図５、図９）の「設定」ボタンB12が操作されたか否かを判定する。
【０１６１】
ステップＳ１５において、「設定」ボタンB12が操作されていないと判定された場合、処理は、ステップＳ１６をスキップして、ステップＳ１７に進む。
【０１６２】
また、ステップＳ１５において、「設定」ボタンB12が操作されたと判定された場合、処理は、ステップＳ１６に進み、後述する設定処理が行われ、処理は、ステップＳ１７に進む。
【０１６３】
ステップＳ１７では、マイクロプロセッサ１０は、録画ボタン９Ａ（図１）が操作されたか否かを判定する。
【０１６４】
ステップＳ１７において、録画ボタン９Ａが操作されていないと判定された場合、処理は、ステップＳ１８をスキップして、ステップＳ１４に戻り、以下、同様の処理が繰り返される。
【０１６５】
また、ステップＳ１７において、録画ボタン９Ａが操作されたと判定された場合、処理は、ステップＳ１８に進み、後述するなめらかスロー録画処理が行われる。そして、なめらかスロー録画処理の終了後、処理は、ステップＳ１４に戻り、以下、同様の処理が繰り返される。
【０１６６】
一方、ステップＳ１４において、「終了」ボタンB11（図５、図９）が操作されたと判定された場合、マイクロプロセッサ１０は、撮像モードを、通常撮像モードに設定し、高速撮像モードの処理を終了する。
【０１６７】
次に、図１２のフローチャートを参照して、図１１のステップＳ１６の設定処理について説明する。
【０１６８】
設定処理は、図１１で説明したように、なめらかスロー録画機能画面（図５、図９）の「設定」ボタンB12が操作された場合に行われる。
【０１６９】
設定処理では、ステップＳ３１において、マイクロプロセッサ１０は、なめらかスロー録画機能画面（図５、図９）に代えて、設定項目選択画面（図６）を表示するように、OSD回路１１を制御する。
【０１７０】
OSD回路１１は、マイクロプロセッサ１０の制御にしたがい、設定項目選択画面のOSD画像データを生成し、重畳回路１２を介して、タッチパネル１４に供給し、これにより、タッチパネル１４では、設定項目選択画面が表示される。
【０１７１】
その後、処理は、ステップＳ３１からステップＳ３２に進み、マイクロプロセッサ１０は、設定項目選択画面（図６）の「タイミング」ボタンB21が操作されたか否かを判定する。
【０１７２】
ステップＳ３２において、「タイミング」ボタンB21が操作されていないと判定された場合、処理は、ステップＳ３３をスキップして、ステップＳ３４に進む。
【０１７３】
また、ステップＳ３２において、「タイミング」ボタンB21が操作されたと判定された場合、処理は、ステップＳ３３に進み、マイクロプロセッサ１０は、ユーザの操作に対応して、タイミングモードを、「ここから」モード、又は「ここまで」モードに設定するタイミング設定処理を行い、そのタイミング設定処理の終了後、処理は、ステップＳ３４に進む。
【０１７４】
ステップＳ３４では、マイクロプロセッサ１０が、設定項目選択画面（図６）の「音声記録」ボタンB22が操作されたか否かを判定し、「音声記録」ボタンB22が操作されていないと判定した場合、処理は、ステップＳ３５をスキップして、ステップＳ３６に進む。
【０１７５】
また、ステップＳ３４において、「音声記録」ボタンB22が操作されたと判定された場合、処理は、ステップＳ３５に進み、後述する音声記録設定処理が行われ、処理は、ステップＳ３６に進む。
【０１７６】
ステップＳ３６では、マイクロプロセッサ１０は、設定項目選択画面（図６）の戻るボタンB23が操作されたか否かを判定する。
【０１７７】
ステップＳ３６において、戻るボタンB23が操作されていないと判定された場合、処理は、ステップＳ３２に戻り、以下、同様の処理が繰り返される。
【０１７８】
また、ステップＳ３６において、戻るボタンB23が操作されたと判定された場合、処理は、ステップＳ３７に進み、マイクロプロセッサ１０は、図１１のステップＳ１１と同様に、OSD回路１１を制御し、これにより、タッチパネル１４に、設定項目選択画面（図６）に代えて、現在の音声記録モードとタイミングモードとに対応したなめらかスロー録画機能画面（図５、図９）を表示させて、処理はリターンする。
【０１７９】
次に、図１３のフローチャートを参照して、図１２のステップＳ３５の音声記録設定処理について説明する。
【０１８０】
音声記録設定処理は、図１２で説明したように、設定項目選択画面（図６）の「音声記録」ボタンB22が操作された場合に行われる。
【０１８１】
音声記録設定処理では、ステップＳ５１において、マイクロプロセッサ１０は、設定項目選択画面（図６）に代えて、現在の音声記録モードに対応した音声記録設定画面（図７、図８）を表示するように、OSD回路１１を制御する。
【０１８２】
OSD回路１１は、マイクロプロセッサ１０の制御にしたがい、現在の音声記録モードに対応した音声記録設定画面のOSD画像データを生成し、重畳回路１２を介して、タッチパネル１４に供給し、これにより、タッチパネル１４では、現在の音声記録モードに対応した音声記録設定画面が表示される。
【０１８３】
すなわち、音声記録モードが、音声切りモードに設定されている場合には、図７に示したように、設定マークM31が「切」ボタンB31の左側に存在する音声記録設定画面が表示される。
【０１８４】
また、音声記録モードが、音声入りモードに設定されている場合には、図８に示したように、設定マークM31が「入」ボタンB32の左側に存在する音声記録設定画面が表示される。
【０１８５】
その後、処理は、ステップＳ５１からステップＳ５２に進み、マイクロプロセッサ１０は、音声記録設定画面（図７、図８）の「切」ボタンB31が操作されたか否かを判定する。
【０１８６】
ステップＳ５２において、「切」ボタンB31が操作されていないと判定された場合、処理は、ステップＳ５３及びＳ５４をスキップして、ステップＳ５５に進む。
【０１８７】
また、ステップＳ５２において、「切」ボタンB31が操作されたと判定された場合、処理は、ステップＳ５３に進み、マイクロプロセッサ１０は、音声記録モードを音声切りモードに設定し、処理は、ステップＳ５４に進む。
【０１８８】
ステップＳ５４では、マイクロプロセッサ１０は、音声切りモードに対応した音声記録設定画面（図７）を表示するように、OSD回路１１を制御し、これにより、タッチパネル１４では、設定マークM31が「切」ボタンB31の左側に存在する、音声切りモードに対応した音声記録設定画面が表示される。
【０１８９】
なお、音声記録モードが、既に、音声切りモードである場合に、ステップＳ５２において、「切」ボタンB31が操作されたと判定されたときには、ステップＳ５３及びＳ５４の処理は、スキップすることができる。
【０１９０】
ステップＳ５４の後、処理は、ステップＳ５５に進み、マイクロプロセッサ１０は、音声記録設定画面（図７、図８）の「入」ボタンB32が操作されたか否かを判定する。
【０１９１】
ステップＳ５５において、「入」ボタンB32が操作されていないと判定された場合、処理は、ステップＳ５６及びＳ５７をスキップして、ステップＳ５８に進む。
【０１９２】
また、ステップＳ５５において、「入」ボタンB32が操作されたと判定された場合、処理は、ステップＳ５６に進み、マイクロプロセッサ１０は、音声記録モードを音声入りモードに設定し、処理は、ステップＳ５７に進む。
【０１９３】
ステップＳ５７では、マイクロプロセッサ１０は、音声入りモードに対応した音声記録設定画面（図８）を表示するように、OSD回路１１を制御し、これにより、タッチパネル１４では、設定マークM31が「入」ボタンB32の左側に存在する、音声入りモードに対応した音声記録設定画面が表示される。
【０１９４】
なお、音声記録モードが、既に、音声入りモードである場合に、ステップＳ５５において、「入」ボタンB32が操作されたと判定されたときには、ステップＳ５６及びＳ５７の処理は、スキップすることができる。
【０１９５】
ステップＳ５７の後、処理は、ステップＳ５８に進み、マイクロプロセッサ１０は、音声記録設定画面（図７）の戻るボタンB33、又は、音声記録設定画面（図８）の「OK」ボタンB34が操作されたか否かを判定する。
【０１９６】
ステップＳ５８において、戻るボタンB33、及び「OK」ボタンB34のうちのいずれも操作されていないと判定された場合、処理は、ステップＳ５２に戻り、以下、同様の処理が繰り返される。
【０１９７】
また、ステップＳ５８において、戻るボタンB33、又は「OK」ボタンB34が操作されたと判定された場合、処理は、ステップＳ５９に進み、マイクロプロセッサ１０は、OSD回路１１を制御し、これにより、タッチパネル１４に、音声記録設定画面（図７、図８）に代えて、戻るボタンB33が操作された場合には設定項目選択画面（図６）を表示させ、「OK」ボタンB34が操作された場合には、なめらかスロー録画機能画面（図５、図９）を表示させて、処理はリターンする。
【０１９８】
次に、図１４のフローチャートを参照して、図１１のステップＳ１８のなめらかスロー録画処理について説明する。
【０１９９】
なめらかスロー録画処理は、図１１で説明したように、なめらかスロー録画機能画面（図５、図９）が表示されている場合において、録画ボタン９Ａが操作されたときに行われる。
【０２００】
なめらかスロー録画処理では、ステップＳ７１において、マイクロプロセッサ１０は、タイミングモードを判定する。
【０２０１】
ステップＳ７１において、タイミングモードが、「ここまで」モードであると判定された場合、処理は、ステップＳ７２に進み、マイクロプロセッサ１０は、タイミングモードが「ここまで」モードである間行われる高速撮像繰り返し処理を一時中断するように、カメラ信号処理回路３を制御して、処理は、ステップＳ７６に進む。
【０２０２】
ここで、ステップＳ７２において高速撮像繰り返し処理が中断されることにより、SDRAM４には、録画ボタン９Ａが操作されたときまでに撮像された、最新の、時間TB分の高レートの撮像画像データが記憶された状態となる。
【０２０３】
なお、ステップＳ７２で中断された高速撮像繰り返し処理は、例えば、図１４のなめらかスロー録画処理からリターンするときに再開される。
【０２０４】
一方、ステップＳ７１において、タイミングモードが、「ここから」モードであると判定された場合、マイクロプロセッサ１０は、高速撮像処理を開始するように、カメラ信号処理回路３を制御する。
【０２０５】
カメラ信号処理回路３は、マイクロプロセッサ１０の制御にしたがい、高速撮像処理を開始する。
【０２０６】
すなわち、カメラ信号処理回路３は、高レートで、撮像を行うように、撮像素子２を制御する。これにより、撮像素子２は、高レートで、撮像を行い、高レートの撮像画像データを出力する。
【０２０７】
ステップＳ７３の後、処理は、ステップＳ７４に進み、カメラ信号処理回路３は、撮像素子２が出力する高レートの撮像画像データに対して、必要な処理を施して、SDRAM４に供給して記憶させる処理を開始して、処理は、ステップＳ７５に進む。
【０２０８】
ステップＳ７５では、マイクロプロセッサ１０は、SDRAM４に、所定の時間TB分の高レートの撮像画像データが記憶されるまで待ち時間をおき、処理は、ステップＳ７６に進む。
【０２０９】
ここで、ステップＳ７３で開始された高速撮像処理と、ステップＳ７４で開始された高レートの撮像画像データをSDRAM４に記憶させる処理とは、SDRAM４に、所定の時間TB分の高レートの撮像画像データが記憶された後に終了する。
【０２１０】
ステップＳ７６では、マイクロプロセッサ１０は、音声記録モードが、音声入りモード、又は音声切りモードのうちのいずれであるかを判定する。
【０２１１】
ステップＳ７６において、音声記録モードが、音声入りモードであると判定された場合、処理は、ステップＳ７７に進み、マイクロプロセッサ１０は、OSD回路１１を制御することにより、タッチパネル１４のなめらかスロー録画機能画面に、音声を記録している旨の情報を表示する。
【０２１２】
すなわち、いまの場合、音声記録モードが、音声入りモードであるから、録画ボタン９Ａが操作されて、図１４のなめらかスロー録画処理が開始されるまでは、タッチパネル１４には、図９に示した、アイコンI13が、音声の記録を行うことを待機していることを表す点滅状態になっているなめらかスロー録画機能画面が表示されている。
【０２１３】
ステップＳ７７では、マイクロプロセッサ１０は、アイコンI13が、音声の記録を行っていることを表す点灯状態になっているなめらかスロー録画機能画面を表示するように、OSD回路１１を制御する。
【０２１４】
さらに、ステップＳ７７では、マイクロプロセッサ１０は、「テープに録画中」のメッセージMS51と、記録バーI14とを、スロー録画機能画面を表示するように、OSD回路１１を制御する。
【０２１５】
OSD回路１１は、マイクロプロセッサ１０の制御にしたがい、音声を記録している旨の情報としての点灯状態のアイコンI13と、メッセージMS51、及び記録バーI14とが存在する、図１０に示したスロー録画機能画面を、タッチパネル１４に表示させる。
【０２１６】
ステップＳ７７の後、処理は、ステップＳ７８に進み、マイクロプロセッサ１０は、OSD回路１１を制御することにより、スロー録画機能画面の記録バーI14の表示を、図１０で説明したように変更する処理を開始させ、処理は、ステップＳ７９に進む。
【０２１７】
ステップＳ７９では、マイクロプロセッサ１０は、マイク８により取り込まれた音声データの受信を開始するように、記録再生回路５を制御し、これにより、記録再生回路５は、マイクロプロセッサ１０の制御にしたがい、マイク８により取り込まれた音声データの受信を開始して、処理は、ステップＳ８０に進む。
【０２１８】
ステップＳ８０では、マイクロプロセッサ１０は、SDRAM４に記憶された時間TB分の高レートの撮像画像データを、時間TBのレート比倍の時間TR分の通常レートの撮像画像データとして読み出す処理を開始するように、記録再生回路５を制御し、これにより、記録再生回路５は、マイクロプロセッサ１０の制御にしたがい、SDRAM４に記憶された撮像画像データを、時間TR分の通常レートの撮像画像データとして読み出す処理を開始して、処理は、ステップＳ８１に進む。
【０２１９】
ステップＳ８１では、マイクロプロセッサ１０は、ステップＳ７９で受信が開始された音声データと、ステップＳ８０でSDRAM４からの読み出しが開始された時間TR分の通常レートの撮像画像データとを、記録媒体７に（通常レートで）記録する処理を開始するように、記録再生回路５を制御し、これにより、記録再生回路５は、マイクロプロセッサ１０の制御にしたがい、撮像画像データと音声データとの、記録媒体７への記録を開始する。
【０２２０】
そして、ステップＳ８１において、時間TR分の通常レートの撮像画像データと、時間TR分の音声データとの、記録媒体７への記録が終了すると、マイクロプロセッサ１０は、記録再生回路５を制御することにより、ステップＳ７９で開始された音声データの受信と、ステップＳ８０で開始されたSDRAM４からの撮像画像データの読み出しとを終了させ、処理は、ステップＳ８２に進む。
【０２２１】
ステップＳ８２では、マイクロプロセッサ１０は、図１１のステップＳ１１と同様に、OSD回路１１を制御し、これにより、タッチパネル１４に、音声を記録している旨の情報としての点灯状態のアイコンI13と、メッセージMS51、及び記録バーI14とが存在する、図１０に示したスロー録画機能画面に代えて、現在の音声記録モードとタイミングモードとに対応したなめらかスロー録画機能画面（図５、図９）を表示させて、処理はリターンする。
【０２２２】
一方、ステップＳ７６において、音声記録モードが、音声切りモードであると判定された場合、処理は、ステップＳ８３に進み、マイクロプロセッサ１０は、「テープに録画中」のメッセージMS51と、記録バーI14とを、スロー録画機能画面を表示するように、OSD回路１１を制御する。
【０２２３】
OSD回路１１は、マイクロプロセッサ１０の制御にしたがい、メッセージMS51、及び記録バーI14（図１０）が存在するが、アイコンI13が存在しないスロー録画機能画面を、タッチパネル１４に表示させる。
【０２２４】
ステップＳ８３の後、処理は、ステップＳ８４に進み、マイクロプロセッサ１０は、OSD回路１１を制御することにより、スロー録画機能画面の記録バーI14の表示を、図１０で説明したように変更する処理を開始させ、処理は、ステップＳ８５に進む。
【０２２５】
ステップＳ８５では、マイクロプロセッサ１０は、ステップＳ８０と同様に、SDRAM４に記憶された時間TB分の高レートの撮像画像データを、時間TBのレート比倍の時間TR分の通常レートの撮像画像データとして読み出す処理を開始するように、記録再生回路５を制御し、これにより、記録再生回路５は、マイクロプロセッサ１０の制御にしたがい、SDRAM４に記憶された撮像画像データを、時間TR分の通常レートの撮像画像データとして読み出す処理を開始して、処理は、ステップＳ８６に進む。
【０２２６】
ステップＳ８６では、マイクロプロセッサ１０は、ステップＳ８５でSDRAM４からの読み出しが開始された時間TR分の通常レートの撮像画像データを、記録媒体７に（通常レートで）記録する処理を開始するように、記録再生回路５を制御し、これにより、記録再生回路５は、マイクロプロセッサ１０の制御にしたがい、撮像画像データの、記録媒体７への記録を開始する。
【０２２７】
そして、ステップＳ８６において、時間TR分の通常レートの撮像画像データの、記録媒体７への記録が終了すると、マイクロプロセッサ１０は、記録再生回路５を制御することにより、ステップＳ８５で開始されたSDRAM４からの撮像画像データの読み出しを終了させ、処理は、ステップＳ８２に進む。
【０２２８】
ステップＳ８２では、マイクロプロセッサ１０は、図１１のステップＳ１１と同様に、OSD回路１１を制御し、これにより、タッチパネル１４に、メッセージMS51、及び記録バーI14が存在する、図１０に示したスロー録画機能画面に代えて、現在の音声記録モードとタイミングモードとに対応したなめらかスロー録画機能画面（図５、図９）を表示させて、処理はリターンする。
【０２２９】
ここで、マイクロプロセッサ１０（コンピュータ）に実行させるプログラムは、不揮発性メモリ２０にあらかじめ記憶させておく他、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体に格納（記録）して提供することができる。
【０２３０】
なお、プログラムは、上述したようなリムーバブル記録媒体から図１のカメラにインストールする他、ダウンロードサイトから、ディジタル衛星放送用の人工衛星を介して、無線でダウンロードし、あるいは、LAN(Local Area Network)、インターネットといったネットワークを介して、有線でダウンロードし、図１のカメラにインストールすることができる。
【０２３１】
ここで、本明細書において、コンピュータとしてのマイクロプロセッサ１０に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２３２】
また、マイクロプロセッサ１０がプログラムを実行することによって行う一連の処理は、論理回路等からなる専用のハードウェアによって行うことも可能である。
【０２３３】
なお、本実施の形態では、例えば、図２で説明したように、時間TR分の通常レートの撮像画像データとして記録する時間TB分の高レートの撮像画像データの撮像が終了した時刻t2から、時間TRの間に、マイク８により取り込まれた音声データを、記録媒体７への記録の対象としたが、その他、例えば、時間TB分の高レートの撮像画像データの撮像が開始される時刻t1から、時間TRの間に、マイク８により取り込まれた音声データを、記録媒体７への記録の対象とすることができる。
【０２３４】
すなわち、図１５は、図１のカメラの、高速撮像モード時の、さらに他の動作について説明する図である。
【０２３５】
なお、図１５において、横軸は、時間を示す。
【０２３６】
図１５上から１番目は、高速撮像モードで撮像される高レートの撮像画像データを示しており、図１５上から２番目は、高速撮像モードでのSDRAM４からの撮像画像データの読み出しのタイミングと、その撮像画像データの記録媒体７への記録のタイミングとを示している。
【０２３７】
いま、例えば、タイミングモードが「ここから」モードであり、音声記録モードが音声入りモードである。
【０２３８】
この場合、例えば、時刻t1において、ユーザが録画ボタン９Ａ（図１）を操作すると、撮像素子２は、図１５上から１番目に示すように、例えば、60Hzなどの通常レートのレート比倍の、例えば、240Hzなどの高レートでの撮像を開始し、これにより、高レートの撮像画像データを出力する。この高レートとしての240Hzの撮像画像データは、カメラ信号処理回路３を介して、SDRAM４に供給されて記憶される。
【０２３９】
撮像素子２において、所定の時間分としての時間TB分の高レートの撮像が終了し、これにより、時間TB分の高レートの撮像画像データが、SDRAM４に記憶されると、記録再生回路５は、図１５上から２番目に示すように、SDRAM４に記憶された高レートの撮像画像データを、通常レートの画像データとして読み出し、記録媒体７に記録する。
【０２４０】
ここで、録画ボタン９Ａが操作された時刻t1から、時間TBだけ経過した時刻が、時刻t2であるとすると、撮像素子２による高速撮像は、時刻t2で終了し、これにより、SDRAM４には、時間TB分の高レートの撮像画像データが記憶される。
【０２４１】
また、SDRAM４に記憶された撮像画像データを、通常レートの画像データとして読み出し、記録媒体７に記録する処理は、時刻t2から、時間TBのレート比倍の時間TRだけ経過した時刻t3に終了する。
【０２４２】
図１５では、ユーザが録画ボタン９Ａ（図１）を操作すると、上述のように、録画ボタン９Ａが操作された時刻t1から時間TB分の高レートの撮像画像データが、時間TR分の通常レートの画像データとして、記録媒体７に記録されるとともに、録画ボタン９Ａが操作された時刻t1から時間TR分の音声データが、記録媒体７に記録される。
【０２４３】
すなわち、図１５上から３番目は、マイク８から取り込まれる音声データを示しており、図１５上から４番目（下から１番目）は、記録媒体７に記録される音声データを示している。
【０２４４】
上述したように、時刻t1において、ユーザが録画ボタン９Ａ（図１）を操作すると、記録再生回路５は、図１５上から３番目に示すように、マイク８により取り込まれた音声データを、SDRAM６（図１）に供給して一時記憶させる。SDRAM６による音声データの記憶は、録画ボタン９Ａが操作された時刻t1から、時間TRが経過した時刻t11まで行われる。
【０２４５】
また、記録再生回路５は、図１５上から４番目に示すように、SDRAM４に記憶された撮像画像データが、通常レートの画像データとして読み出されて記録媒体７に記録する処理が開始される時刻t2（録画ボタン９Ａが操作された時刻t1から、時間TBが経過した時刻t2）から、SDRAM６に記憶された音声データの読み出しを開始し、SDRAM４から読み出された撮像画像データとともに、記録媒体７に記録する。
【０２４６】
音声データの記録は、時間TR分だけ行われ、したがって、撮像画像データの記録と同様に、時刻t2から時間TRだけ経過した時刻t3に終了する。
【０２４７】
なお、図２で説明したように、時間TR分の通常レートとして記録する時間TB分の高レートの撮像画像データの撮像が終了した時刻t2から、時間TRの間に、マイク８により取り込まれた音声データを、記録媒体７への記録の対象とするか、又は、図１５に示したように、時間TB分の高レートの撮像画像データの撮像が開始される時刻t1から、時間TRの間に、マイク８により取り込まれた音声データを、記録媒体７への記録の対象とするかは、例えば、ユーザの操作に応じて選択するようにすることができる。
【０２４８】
また、本実施の形態では、音声記録モードが音声入りモードであること、ひいては、音声記録モードを表す情報としてのアイコンI13（図９）を表示することにより、ユーザに、音声記録モードを報知することとしたが、音声記録モードの報知は、その他、例えば、図１のカメラの筐体に、所定のLED(Light Emitting Diode)を設けて、そのLEDを点灯又は点滅すること、あるいは、図示せぬスピーカから音声によるメッセージを出力すること等によって行うことが可能である。
【０２４９】
さらに、本実施の形態では、音声データの記録中であるか否かによって、音声記録モードを表す情報としてのアイコンI13（図９）を表示の状態を、点灯状態又は点滅状態に変更することにより、すなわち、音声データを記録しているときには、点灯状態のアイコンI13を表示し、音声データを記録していないときには、点滅状態のアイコンI13を表示することにより、ユーザに、音声データの記録中であるか否かを報知するようにしたが、逆に、音声データを記録しているときには、点滅状態のアイコンI13を表示し、音声データを記録していないときには、点灯状態のアイコンI13を表示することができる。
【０２５０】
また、アイコンI13の表示の状態は、音声データの記録中であるか否かによって、点灯状態又は点滅状態に変更する他、色や濃淡等を変更することが可能である。
【０２５１】
さらに、音声データの記録中であるか否かは、音声記録モードを表す情報としてのアイコンI13（図９）とは別のアイコンやメッセージ等の表示によって報知するようにすることが可能である。
【０２５２】
また、本実施の形態では、高速撮像モードにおいて、撮像素子２が出力する撮像画像データのレート（第１のレート）を、例えば、240Hzなどの高レートとするとともに、SDRAM４から読み出される撮像画像データのレート（第１のレートとは異なる第２のレート）を、例えば、60Hzなどの通常レートとして、第１のレートを、第２のレートよりも高速にしたが、その他、第１のレートを、例えば、30Hzとするとともに、第２のレートを、例えば、60Hzとして、第１のレートを、第２のレートよりも低速にすることが可能である。
【０２５３】
この場合、低速のレートである30Hzの撮像画像データが、SDRAM４に記憶され、通常レートである60Hzの撮像画像データとして読み出されて、記録媒体７に記録される。したがって、記録媒体７から撮像画像データを１倍速（通常レートの画像データを、実時間で再生する再生速度）で再生すると、通常レートで撮像された画像データを、１倍速より高速の再生速度で再生したかのような、コミカルな動き等をする被写体が表示された画像を得ることができる。
【０２５４】
さらに、本実施の形態では、高速撮像モードにおいて、図１のカメラに設けられた内蔵マイクとしてのマイク８により取り込んだ音声データを、記録媒体７に記録するようにしたが、高速撮像モードにおいては、その他、例えば、図１のカメラに接続可能な外部のマイクにより取り込んだ音声データや、外部から取り込んだ、又は内蔵する不揮発性メモリ２０等にあらかじめ記憶させておいた効果音等の音声データ等を、記録媒体７に記録することが可能である。
【０２５５】
また、高速撮像モードにおいて記録媒体７に記録する音声データは、特に限定されるものではなく、モノラルの音声データや、ステレオの音声データ、４チャンネルや５．１チャンネルの音声データ等を採用することができる。
【０２５６】
以上、本発明を、カメラに適用した場合について説明したが、本発明は、ビデオカメラやスチルカメラ等のカメラの他、動画の画像を撮像して記録する機能を有する、例えば、携帯電話機や、パーソナルコンピュータ、その他の装置に適用可能である。
【０２５７】
なお、本発明の実施の形態は、上述した実施の形態に限定されるものではなく、本発明の要旨を逸脱しない範囲において種々の変更が可能である。
【図面の簡単な説明】
【０２５８】
【図１】本発明を適用したカメラの一実施の形態の構成例を示すブロック図である。
【図２】カメラの高速撮像モード時の動作を説明する図である。
【図３】カメラの高速撮像モード時の他の動作を説明する図である。
【図４】メニュー画面を示す図である。
【図５】なめらかスロー録画機能画面を示す図である。
【図６】設定項目選択画面を示す図である。
【図７】音声記録設定画面を示す図である。
【図８】音声記録設定画面を示す図である。
【図９】なめらかスロー録画機能画面を示す図である。
【図１０】なめらかスロー録画機能画面を示す図である。
【図１１】高速撮像モードの処理を説明するフローチャートである。
【図１２】設定処理を説明するフローチャートである。
【図１３】音声記録設定処理を説明するフローチャートである。
【図１４】なめらかスロー録画処理を説明するフローチャートである。
【図１５】カメラの高速撮像モード時のさらに他の動作を説明する図である。
【符号の説明】
【０２５９】
１  レンズ部，  ２  撮像素子，  ３  カメラ信号処理回路，  ４  SDRAM，  ５  記録再生回路，  ６  SDRAM，  ７  記録媒体，  ８  マイク，  ９  キー入力回路，  ９Ａ  録画ボタン，  １０  マイクロプロセッサ，  １１  OSD回路，  １２  重畳回路，  １３  ラインアウト端子，  １４  タッチパネル，  １５  ビューファインダパネル，  １６  バッテリ，  １７  ACケーブル，  １８  電源回路，  １９  電源制御スイッチ
【図１】
2008148085.tif 000003
【図２】
2008148085.tif 000004
【図３】
2008148085.tif 000005
【図４】
2008148085.tif 000006
【図５】
2008148085.tif 000007
【図６】
2008148085.tif 000008
【図７】
2008148085.tif 000009
【図８】
2008148085.tif 000010
【図９】
2008148085.tif 000011
【図１０】
2008148085.tif 000012
【図１１】
2008148085.tif 000013
【図１２】
2008148085.tif 000014
【図１３】
2008148085.tif 000015
【図１４】
2008148085.tif 000016
【図１５】
2008148085.tif 000017